【手続補正書】
【提出日】平成17年12月6日(2005.12.6)
【手続補正１】
【補正対象書類名】明細書
【補正対象項目名】発明の名称
【補正方法】変更
【補正の内容】
【発明の名称】決済管理装置、携帯情報端末、並びにプログラム
【手続補正２】
【補正対象書類名】明細書
【補正対象項目名】特許請求の範囲
【補正方法】変更
【補正の内容】
【特許請求の範囲】
【請求項１】  所定の商品の購入手続きを行う携帯情報端末と通信可能な決済管理装置であって、
前記携帯情報端末のユーザが加入する所定のクレジットサービスにおいて、前記ユーザに対して割り当てられている識別情報の、前記携帯情報端末への記憶を制御する記憶制御手段と、
前記ユーザが購入手続きを行った商品の代金の決済が前記携帯情報端末から要求されたとき、前記携帯情報端末に記憶されている前記識別情報に基づいて、前記代金の決済を行う決済手段と
を備えることを特徴とする決済管理装置。
【請求項２】  前記識別情報とともに、前記クレジットサービスに関するクレジットサービス情報を記憶する記憶手段をさらに備え、
前記決済手段は、前記識別情報に基づいて、前記記憶手段により記憶されている前記クレジットサービス情報を取得し、前記決済を行う
ことを特徴とする請求項１に記載の決済管理装置。
【請求項３】  前記ユーザが購入手続きを行った商品の配送を、前記商品の販売を依頼してきた依頼元に要求する要求手段をさらに備える
ことを特徴とする請求項１に記載の決済管理装置。
【請求項４】  前記商品に関する情報を記憶する記憶手段をさらに備え、
前記要求手段は、前記記憶手段により記憶されている前記商品に関する情報に基づいて、前記依頼元に対する、前記商品の配送を要求する
ことを特徴とする請求項３に記載の決済管理装置。
【請求項５】  前記商品に関する情報は、前記依頼元により、前記記憶手段に登録される
ことを特徴とする請求項４に記載の決済管理装置。
【請求項６】  前記商品に関する情報が前記依頼元により登録されたとき、前記サイトを作成し、前記サイトのアドレスを発行する発行手段をさらに備える
ことを特徴とする請求項５に記載の決済管理装置。
【請求項７】  前記アドレスは、前記携帯情報端末において撮像し、解析可能な所定の図形画像に含まれる
ことを特徴とする請求項６に記載の決済管理装置。
【請求項８】  前記図形画像は、前記商品の広告媒体に印刷される
ことを特徴とする請求項７に記載の決済管理装置。
【請求項９】  前記アドレスは、前記携帯情報端末が無線通信にて読み取り可能な、前記商品の広告媒体に配設されるICチップに記憶される
ことを特徴とする請求項６に記載の決済管理装置。
【請求項１０】  前記商品の購入を行うための利用料金を、前記携帯情報端末のユーザに対して課金する課金手段をさらに備える
ことを特徴とする請求項１に記載の決済管理装置。
【請求項１１】  前記商品の販売を依頼してきたことに対する料金を、前記依頼元に対して課金する課金手段をさらに備える
ことを特徴とする請求項１に記載の決済管理装置。
【請求項１２】  所定の商品の購入手続きを行う携帯情報端末との間で行われる処理をコンピュータに実行させるプログラムであって、
前記携帯情報端末のユーザが加入する所定のクレジットサービスにおいて、前記ユーザに対して割り当てられている識別情報の、前記携帯情報端末への記憶を制御する記憶制御ステップと、
前記ユーザが購入手続きを行った商品の代金の決済が前記携帯情報端末から要求されたとき、前記携帯情報端末に記憶されている前記識別情報に基づいて、前記代金の決済を行う決済ステップと
を含むことを特徴とするプログラム。
【請求項１３】  代金の決済を管理する決済管理装置と通信可能な携帯情報端末であって、
ユーザが加入する所定のクレジットサービスにおいて、前記ユーザに対して割り当てられている識別情報を、前記決済管理装置からの指示に基づいて記憶する記憶手段と、
所定の商品の購入手続き行うためのサイトのアドレスを取得する取得手段と、
前記取得手段により取得された前記アドレスに基づいて、前記サイトにアクセスし、前記商品の購入手続きを行う画面を表示させる表示手段と、
前記表示手段により表示された前記画面において、前記商品の購入手続きが行われたとき、前記記憶手段により記憶されている前記識別情報を前記決済管理装置に送信し、前記識別情報に基づく代金の決済を要求する要求手段と
を備えることを特徴とする携帯情報端末。
【請求項１４】  撮影手段をさらに備え、
前記取得手段は、前記撮影手段により撮像された所定の図形画像に基づいて、前記アドレスを取得する
ことを特徴とする請求項１３に記載の携帯情報端末。
【請求項１５】  前記ユーザに対して発行されているクレジットカードに記憶されている前記識別情報を無線通信にて読み出す読み出し手段をさらに備え、
前記記憶手段は、前記読み出し手段により読み出された前記識別情報を、前記決済装置からの指示に基づいて記憶する
ことを特徴とする請求項１３に記載の携帯情報端末。
【請求項１６】  前記取得手段は、前記商品の広告媒体に配設されるICチップから、無線通信にて前記アドレスを取得する
ことを特徴とする請求項１３に記載の携帯情報端末。
【請求項１７】  前記サイトへのアクセスは、前記ユーザによる第１回目の操作に応じて行われ、
前記要求手段による要求は、前記ユーザによる第２回目の操作に応じて行われる
ことを特徴とする請求項１３に記載の携帯情報端末。
【請求項１８】  前記要求手段は、前記識別情報に基づく代金の決済とともに、購入手続きが行われた前記商品の配送を、さらに要求する
ことを特徴とする請求項１３に記載の携帯情報端末。
【請求項１９】  代金の決済を管理する決済管理装置との間で行われる処理をコンピュータに実行させるプログラムであって、
ユーザが加入する所定のクレジットサービスにおいて、前記ユーザに対して割り当てられている識別情報を、前記決済管理装置からの指示に基づいて記憶する記憶ステップと、
所定の商品の購入手続き行うためのサイトのアドレスを取得する取得ステップと、
前記取得ステップの処理により取得された前記アドレスに基づいて、前記サイトにアクセスし、前記商品の購入手続きを行う画面を表示させる表示ステップと、
前記表示ステップの処理により表示された前記画面において、前記商品の購入手続きが行われたとき、前記記憶ステップの処理により記憶されている前記識別情報を前記決済管理装置に送信し、前記識別情報に基づく代金の決済を要求する要求ステップと
を含むことを特徴とするプログラム。
【手続補正３】
【補正対象書類名】明細書
【補正対象項目名】０００１
【補正方法】変更
【補正の内容】
【０００１】
【発明の属する技術分野】
本発明は、決済管理装置、携帯情報端末、並びにプログラムに関し、特に、ユーザが、容易に、かつ気軽に、商品の購入申し込みを行うことができるようにするとともに、その代金の決済を、より安全に行うことができるようにする決済管理装置、携帯情報端末、並びにプログラムに関する。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】変更
【補正の内容】
【００１４】
【課題を解決するための手段】
本発明の決済管理装置は、携帯情報端末のユーザが加入する所定のクレジットサービスにおいて、ユーザに対して割り当てられている識別情報の、携帯情報端末への記憶を制御する記憶制御手段と、ユーザが購入手続きを行った商品の代金の決済が携帯情報端末から要求されたとき、携帯情報端末に記憶されている識別情報に基づいて、代金の決済を行う決済手段とを備えることを特徴とする。
【手続補正７】
【補正対象書類名】明細書
【補正対象項目名】００２５
【補正方法】削除
【補正の内容】
【手続補正８】
【補正対象書類名】明細書
【補正対象項目名】００３２
【補正方法】削除
【補正の内容】
【手続補正９】
【補正対象書類名】明細書
【補正対象項目名】００３４
【補正方法】削除
【補正の内容】
【手続補正１０】
【補正対象書類名】明細書
【補正対象項目名】００３５
【補正方法】変更
【補正の内容】
【００３５】
本発明の決済管理装置およびプログラムにおいては、携帯情報端末のユーザが加入する所定のクレジットサービスにおいて、ユーザに対して割り当てられている識別情報の、携帯情報端末への記憶が制御され、ユーザが購入手続きを行った商品の代金の決済が携帯情報端末から要求されたとき、携帯情報端末に記憶されている識別情報に基づいて、代金の決済が行われる。
【手続補正１１】
【補正対象書類名】明細書
【補正対象項目名】００３６
【補正方法】変更
【補正の内容】
【００３６】
本発明の携帯情報端末およびプログラムにおいては、ユーザが加入する所定のクレジットサービスにおいて、ユーザに対して割り当てられている識別情報が、決済管理装置からの指示に基づいて記憶され、所定の商品の購入手続き行うためのサイトのアドレスが取得される。また、取得されたアドレスに基づいて、サイトにアクセスされ、商品の購入手続きを行う画面を表示される。さらに、商品の購入手続きが行われたとき、記憶されている識別情報が決済管理装置に送信され、識別情報に基づく代金の決済が要求される。